(57)【要約】【課題】  幌の開口窓を覆うためのカバー部材に別の機能を付加することにより、使用者にとって使い勝手の良い乳母車を提供する。【解決手段】  乳母車の幌１は、幌布に形成された開口窓２と、この開口窓２を覆うカバー部材１０とを有する。カバー部材１０は、内部に小物を入れることができるポーチの形態を有しており、幌布に取り外し可能に取付けられている。【選択図】      図１
2006001482.tif 000002
【特許請求の範囲】
【請求項１】
幌布に形成された開口窓と、この開口窓を覆うカバー部材とを有する乳母車の幌において、
前記カバー部材は、内部に小物を入れることができるポーチの形態を有しており、前記幌布に取り外し可能に取付けられていることを特徴とする、乳母車の幌。
【請求項２】
前記カバー部材は、その側縁がスライドファスナーを介して前記幌布に取付けられている、請求項１に記載の乳母車の幌。
【請求項３】
前記開口窓は、当該幌の上面部分に設けられている、請求項１または２に記載の乳母車の幌。
【発明の詳細な説明】
【技術分野】
【０００１】
この発明は、乳母車の幌に関し、特に開口窓を有する乳母車の幌に関するものである。
【背景技術】
【０００２】
乳母車の幌は、本来、座席に着座した乳幼児を強い日差しから護るためのものであるが、座席への通気性を高めるために開口窓を設けることが提案されている。
【０００３】
開口窓を有する乳母車の幌は、例えば、特表平１１−５０７３０６号公報（特許文献１）および特開２００３−１９９６１号公報（特許文献２）等に開示されている。
【０００４】
母親等が乳母車を移動操作しているとき、母親等は座席に着座した乳幼児の様子を時々観察したいが、幌の存在は乳幼児に対する母親等の視界を遮る。この場合、開口窓があれば、母親等は開口窓を通して乳幼児の様子を観察できる。
【特許文献１】特表平１１−５０７３０６号公報
【特許文献２】特開２００３−１９９６１号公報
【発明の開示】
【発明が解決しようとする課題】
【０００５】
幌の開口窓は、必要に応じて開閉できるようにするのが望ましい。そのため、開口窓を覆うためのカバー部材を設けるのが一般的である。
【０００６】
本発明の目的は、幌の開口窓を覆うためのカバー部材に別の機能を付加することにより、使用者にとって使い勝手のよい乳母車を提供しようとするものである。
【課題を解決するための手段】
【０００７】
本発明は、幌布に形成された開口窓と、この開口窓を覆うカバー部材とを有する乳母車の幌であって、次のことを特徴とする。すなわち、カバー部材は、内部に小物を入れることができるポーチの形態を有しており、幌布に取り外し可能に取付けられている。
【０００８】
上記の構成によれば、乳母車を移動操作する人は、小物をポーチの形態のカバー部材内に収納しておくことができるので、便利である。また、乳母車を使用しないときには、幌からカバー部材を取り外し、ポーチとして使用することができる。
【０００９】
一つの実施形態では、カバー部材は、その側縁がスライドファスナーを介して幌布に取付けられている。開口窓は、例えば、当該幌の上面部分に設けられている。
【発明を実施するための最良の形態】
【００１０】
図１〜図８は、この発明に従った一実施形態を示している。図１〜図３に示すように、乳母車の幌１は、上面部分に開口窓２と、この開口窓２を覆うためのカバー部材１０とを備える。図示した実施形態では、開口窓２にメッシュが張られている。他の実施形態として、開口窓２に透明シートを張ったり、あるいは単なる開口空間としても良い。
【００１１】
カバー部材１０は、内部に小物を入れることができるポーチの形態を有しており、幌布に取り外し可能に取付けられている。図示した実施形態では、カバー部材１０の側縁が、スライドレール１１およびスライダ１２とから成るスライドファスナーを介して幌布に取付けられている。
【００１２】
図３は、カバー部材１０の他端を捲り上げて開口窓２を露出させた状態を示している。好ましくは、カバー部材１３の先端部の裏面に止めボタン１３が設けられ、幌布にこの止めボタン１３に係合するボタン受具３が設けられている。止めボタン１３とボタン受具３とを係合させることにより、カバー部材１０を、開口窓２を閉鎖した位置で固定できる。カバー部材１０の外縁近くに設けられた複数のボタン１４は、ポーチとしてのデザイン性を高めるための飾りボタンである。
【００１３】
図６は、ポーチの形態を有しているカバー部材１０を幌１から取り外した状態を示し、図７および図８は、カバー部材１０を単独で示している。図８に示すように、カバー部材１０は、開口縁１７を有する袋状のポーチの形態を有している。開口縁１７は、例えば、面ファスナ１６を介して閉じられるようになっている。
【００１４】
ポーチの形態のカバー部材１０内には、種々の小物を入れておくことができるので、使用者にとって便利である。また、乳母車を使用しないときには、カバー部材１０をポーチとして持ち運ぶことができる。
【００１５】
カバー部材１０に、予め、図４および図５に示すような垂布１５を畳んで収納しておいてもよい。この場合、一つの実施形態として、垂布１５の一辺をカバー部材１０の内部に接合しておき、必要に応じて図４および図５に示すように垂布１５を広げて幌１の縁から下方に垂らす。これにより、より広範囲に日差しを遮ることができる。
【００１６】
なお、図示した実施形態では、幌の上面部分に開口窓を設け、この上面部分にポーチの形態のカバー部材を取り外し可能に取付けていたが、開口窓およびポーチの形態のカバー部材を取付ける場所を他の位置にしても良い。また、ポーチの形態は、図示したもので限定されるのではなく、種々の形態のものを採用できる。
【００１７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変更を加えることが可能である。
【産業上の利用可能性】
【００１８】
この発明は、開口窓を有する乳母車の幌に有利に適用され得る。
【図面の簡単な説明】
【００１９】
【図１】乳母車の幌を示す斜視図である。
【図２】乳母車の幌を上方から見た図である。
【図３】ポーチの形態のカバー部材を捲り上げて、開口窓を露出させている状態を示す図である。
【図４】ポーチの形態のカバー部材から垂布を引出して垂らしている状態を示す図である。
【図５】ポーチの形態のカバー部材から垂布を引出して垂らしている状態を正面側から見た図である。
【図６】ポーチの形態のカバー部材を取り外した状態を示す図である。
【図７】ポーチの形態のカバー部材を単独で示す図である。
【図８】ポーチの形態のカバー部材の開口縁を明瞭に示す図である。
【符号の説明】
【００２０】
１  幌、２  開口窓、３  ボタン受具、１０  カバー部材、１１  スライドレール、１２  スライダ、１３  止めボタン、１４  飾りボタン、１５  垂布、１６  面ファスナ、１７  開口縁。
【図１】
2006001482.tif 000003
【図２】
2006001482.tif 000004
【図３】
2006001482.tif 000005
【図４】
2006001482.tif 000006
【図５】
2006001482.tif 000007
【図６】
2006001482.tif 000008
【図７】
2006001482.tif 000009
【図８】
2006001482.tif 000010